(57)【要約】  【課題】  アンダーシンク型浄水器を設ける場合、支え具をシンク下方の収納室壁に取り付けて、浄水器から水栓への導管の垂れ下がり防止する技術がある。本発明は、横置きタイプのアンダーシンク型浄水器を流し台の引き出しに取り付ける場合、浄水器から水栓への浄水導管の収納と流し台の下部空間の有効利用を図るものである。またアンダーシンク型浄水器に粒状活性炭を用いる場合、粒状活性炭の充填量にバラツキがあっても横置きタイプとして使用するとき、粒状活性炭の偏りを防止し均質な浄化を得るものとする。  【解決手段】  アンダーシンク型浄水器が、シンクの下方空間に配設された引き出しに横置き状態で取り付けられ、浄水器の浄水出口がシンク用水栓の水道水の入口側に可撓性導管を介して接続され、浄水器の後方には引き出しの出し入れに伴う可撓性導管の伸縮部分を収納する収納空間を形成したこと。【選択図】  図４
2005232873.tif 000002
【特許請求の範囲】
【請求項１】
外筒内に環状の間隔を存して配置した内筒内に水浄化用中空糸膜が収納され、前記中空糸膜を取り囲むように水浄化用粒状活性炭が収納され、前記外筒の一端側には前記環状の間隔に連通する原水流入口とこの原水流入口と同じ側に前記中空糸膜に連通する浄水出口が設けられたアンダーシンク型浄水器が、シンクの下方空間に配設された引き出しに横置き状態で取り付けられ、前記浄水出口が前記シンク用水栓の水道水の入口側に可撓性導管を介して接続され、前記浄水器の後方には前記引き出しの出し入れに伴う前記可撓性導管の伸縮部分を収納する収納空間を形成したことを特徴とする流し台。
【請求項２】
外筒内に環状の間隔を存して配置した内筒内に水浄化用中空糸膜が収納され、前記中空糸膜を取り囲むように水浄化用粒状活性炭が収納され、前記外筒の一端側には前記環状の間隔に連通する原水流入口とこの原水流入口と同じ側に前記中空糸膜に連通する浄水出口が設けられ、前記外筒の他端側にはキャップによって閉塞される前記粒状活性炭の注入開口が形成され、前記キャップの取り付けによって前記粒状活性炭を前記環状の間隔の他端側に向けて押し圧保持する弾性部材を設けたことを特徴とする流し台用アンダーシンク型浄水器。
【発明の詳細な説明】
【技術分野】
【０００１】
本発明は、一般家庭等で使用される流し台並びに流し台用アンダーシンク型浄水器に関する。
【背景技術】
【０００２】
一般家庭等で使用する上水道水の浄化用アンダーシンク型浄水器として、原水入口に対応して活性炭や活性炭繊維を主成分とする円筒状の１次フィルタと、この内側に浄水出口に対応してＵ字状に折り曲げられた中空糸膜束の２次フィルタを備えた濾過カートリッジがある。（例えば、特許文献１参照）。
【特許文献１】特開２００２−１７７９５０号
【発明の開示】
【発明が解決しようとする課題】
【０００３】
特許文献１の濾過カートリッジは、原水入口と浄水出口に夫々接続される原水導入管と浄水導出管が垂れ下がるのを防止するための導出入管ホルダを設け、これによって、濾過カートリッジを引き出しタイプの収納スペースに設置する場合も、原水導入管と浄水導出管が鍋等の収納物に引っ掛かるのを防止するようにしたものである。しかし、濾過カートリッジの内部の改良に関しては、特に格別の構成が施されたものではない。
【０００４】
本発明は、一般家庭等で使用される流し台に横置きタイプのアンダーシンク型浄水器を引き出しに取り付ける場合、浄水器から水栓へ導く浄水の導管の収納と流し台の下部空間の有効利用を図ることができる流し台を提供するものである。また、流し台の引き出しに取り付けるアンダーシンク型浄水器に浄水用粒状活性炭を用いる場合、この粒状活性炭の充填量にバラツキがあっても、横置きタイプとして使用された場合にもこの粒状活性炭の偏りを防止して均質な浄化が得られるアンダーシンク型を提供するものである。
【課題を解決するための手段】
【０００５】
第１の発明の流し台は、外筒内に環状の間隔を存して配置した内筒内に水浄化用中空糸膜が収納され、前記中空糸膜を取り囲むように水浄化用粒状活性炭が収納され、前記外筒の一端側には前記環状の間隔に連通する原水流入口とこの原水流入口と同じ側に前記中空糸膜に連通する浄水出口が設けられたアンダーシンク型浄水器が、シンクの下方空間に配設された引き出しに横置き状態で取り付けられ、前記浄水出口が前記シンク用水栓の水道水の入口側に可撓性導管を介して接続され、前記浄水器の後方には前記引き出しの出し入れに伴う前記可撓性導管の伸縮部分を収納する収納空間を形成したことを特徴とする。
【０００６】
第２の発明のアンダーシンク型浄水器は、外筒内に環状の間隔を存して配置した内筒内に水浄化用中空糸膜が収納され、前記中空糸膜を取り囲むように水浄化用粒状活性炭が収納され、前記外筒の一端側には前記環状の間隔に連通する原水流入口とこの原水流入口と同じ側に前記中空糸膜に連通する浄水出口が設けられ、前記外筒の他端側にはキャップによって閉塞される前記粒状活性炭の注入開口が形成され、前記キャップの取り付けによって前記粒状活性炭を前記環状の間隔の他端側に向けて押し圧保持する弾性部材を設けたことを特徴とする。
【０００７】
更に、第３の発明のアンダーシンク型浄水器は、外筒内に環状の間隔を存して配置した内筒内に水浄化用中空糸膜が収納され、前記中空糸膜を取り囲むように前記環状の間隔に水浄化用粒状活性炭が収納され、前記外筒の一端側には前記環状の間隔に連通する原水流入口とこの原水流入口と同じ側に前記中空糸膜に連通する浄水出口が設けられ、前記外筒の他端側開口はキャップによって閉塞されることによって前記粒状活性炭から前記中空糸膜に通じる連通部が形成され、前記キャップの取り付けによって前記粒状活性炭を前記環状の間隔の他端側に向けて押し圧保持する通水性弾性部材を設けたことを特徴とする。
【０００８】
更にまた、第４の発明のアンダーシンク型浄水器は、外筒内に環状の間隔を存して配置した内筒内に水浄化用中空糸膜が収納され、前記中空糸膜を取り囲むように前記環状の間隔に粒状活性炭が収納され、前記外筒の一端側には前記環状の間隔に連通する原水流入口とこの原水流入口と同じ側に前記中空糸膜に連通する浄水出口が設けられ、前記外筒の他端側開口はキャップによって閉塞されることによって前記粒状活性炭から前記中空糸膜に通じる連通部が形成され、前記粒状活性炭を前記環状の間隔の前記キャップ側から前記環状の間隔の他端側に向けて押し圧保持する通水性弾性部材を設け、前記通水性弾性部材と前記キャップとの間には前記連通部の周辺に繊維状活性炭が環状配置されたことを特徴とする。
【０００９】
更にまた、第５の発明のアンダーシンク型浄水器は、外筒内に環状の間隔を存して筒状ケースに水浄化用中空糸膜が収納された中空糸膜体が設けられ、前記外筒との間に環状の通水間隔を存しこの中空糸膜体を取り囲むように配設した筒状ケース内に粒状活性炭が収納され、前記外筒の一端側には前記通水間隔に連通する原水流入口とこの原水流入口と同じ側に前記中空糸膜に連通する浄水出口が設けられ、前記外筒の他端側開口はキャップによって閉塞され、前記両筒状ケースは夫々筒状周面に通水部を形成しており、前記粒状活性炭を前記キャップの取り付けによって他端側に向けて押し圧保持する弾性部材を設けたことを特徴とする。
【００１０】
更にまた、第６の発明のアンダーシンク型浄水器は、外筒内にこの外筒内との間に環状の間隔を存して筒状ケースに水浄化用中空糸膜が収納された中空糸膜体が設けられ、前記外筒の一端側には前記環状の間隔に連通する原水流入口とこの原水流入口と同じ側に前記中空糸膜に連通する浄水出口が設けられ、前記外筒の他端側開口はキャップによって閉塞され、前記外筒内側の一部には一端が前記原水流入口に連通して前記環状の間隔へ軸方向に沿って通水する通水路が形成され、前記筒状ケースの筒状面のうち前記通水路から遠い反対側の位置に通水部が形成され、前記環状の間隔に収納された粒状活性炭を前記キャップの取り付けによって他端側に向けて押し圧保持する環状の弾性部材を設けたことを特徴とする。
【発明の効果】
【００１１】
第１の発明は、ループ状、コイル状等の形状によって引き出しの出し入れに伴って伸縮する可撓性導管部分は、水栓下方の引き出し後方の空間に配設されることによって、引き出し後方の利用し難い空間の有効利用ができると共に、引き出しの出し入れの邪魔にならず、更に、引き出しの下方空間に収納される鍋等の収納の邪魔にもならないため、この導管部分は損傷を受けることからも防止できる。
【００１２】
粒状活性炭の量は、その計量作業ごとに、空気中の水分量、測定者、治具等によってバラツキが生じるが、第２の発明では、前記粒状活性炭は弾性部材によって前記環状の間隔内で押し圧保持されるため、このバラツキがあっても、前記環状の間隔内での前記粒状活性炭面の崩れによる偏りのない状態に維持され、前記環状の間隔内では前記粒状活性炭面が均一な充填状態となる。このため、前記環状の間隔内を軸方向へ通過する水道水の均質浄化が得られる効果がある。
【００１３】
粒状活性炭の量は、その計量作業ごとに、空気中の水分量、測定者、治具等によってバラツキが生じるが、第１の発明では、前記粒状活性炭は通水性弾性部材によって前記環状の間隔内で押し圧保持されるため、このバラツキによる環状の間隔内での粒状活性炭面の崩れによる偏りを防止して粒状活性炭面が均一な充填状態となる。このため、前記環状の間隔内を軸方向へ通過する水道水の均質浄化が得られると共に、浄水器内の水通路を維持できる効果がある。そして、通水性弾性部材を連続気泡のウレタン発泡材の成形体とすることによって、粒状活性炭の抑え効果と水道水の通水性とを同時に達成できるものとすることができ、アンダーシンク型浄水器の組み立てがし易いものとなる。
【００１４】
第４の発明は、前記粒状活性炭は前記環状の間隔の前記キャップ寄りから通水性弾性部材によって押し圧保持され、粒状活性炭の詰め込む量にバラツキがあっても、このバラツキを吸収して前記環状の間隔内での前記粒状活性炭を崩れや偏りのない状態に維持でき、前記環状の間隔内での前記粒状活性炭面の均一な充填状態を維持でき、前記環状の間隔内を軸方向へ通過する水道水の均質浄化が得られると共に、浄水器内の水通路を維持できる効果がある。そして、環状配置された繊維状活性炭が、更なる浄化フィルタの役目をすると共に、通水性弾性部材の押さえ部材しての役目をする効果がある。
【００１５】
第５の発明によって、筒状ケースに収納された粒状活性炭層の筒状面から水道水が通過して中空糸膜体に向かうため、広い面でのろ過効果が得られる。そして、粒状活性炭を原水流入口と浄水出口側へ押し圧することによって、粒状活性炭を崩れや偏りのない状態に維持でき、前記環状の間隔内での前記粒状活性炭面の均一な充填状態によって、前記広い面での水道水の均質浄化が得られる効果がある。
【００１６】
第６の発明によって、原水流入口側から通水路へ流入した水は、この通水路から遠い反対側の位置から中空糸膜体へ流入するため、粒状活性炭を円周方向に通過して浄化されることとなり、浄化通路を長くとれる効果がある。
【発明を実施するための最良の形態】
【００１７】
本発明のアンダーシンク型浄水器は、筒状ケースに収納された中空糸膜を取り囲むように環状間隔内に粒状活性炭が収納され、この粒状活性炭を一端側から他端側に向けて押し圧して環状間隔内に保持する弾性部材を設け、前記環状の間隔内での前記粒状活性炭の崩れによる偏りを防止するものであり、以下に本発明のアンダーシンク型浄水器とそれを備えた流し台の実施形態を記載する。
【実施例１】
【００１８】
次に、本発明のアンダーシンク型浄水器の実施形態を図１に基づいて説明する。本発明のアンダーシンク型浄水器１の基本技術は、一端側が閉塞２Ａされ他端側に開口２Ｂした外筒２と、外筒２内に環状の間隔６を存して配置した内筒４と、内筒４内には多数の水浄化用中空糸膜５が束ねられてＵ字状に屈曲された状態で収納され、中空糸膜５を取り囲むように環状の間隔６に水浄化用粒状活性炭１２が収納されている。そして、外筒２の閉塞２Ａ側には環状の間隔６に連通する原水流入口７とこの原水流入口７と同じ側に中空糸膜５に連通する浄水出口８が設けられている。外筒２の他端側には粒状活性炭１２の注入用開口２Ｂが形成され、この開口２Ｂはキャップ１１によって閉塞される。開口２Ｂをキャップ１１によって閉塞することによって、環状の弾性部材２０が押されて粒状活性炭１２を環状の間隔６の一端側から環状の間隔６の他端側に向けて押し圧保持するものである。
【００１９】
図１の実施形態のものは、キャップ１１によって開口２Ｂが閉塞されることによって、粒状活性炭１２から中空糸膜５に通じる連通部１０が形成される。粒状活性炭１２を間隔６の他端側に向けて押し圧保持する環状の弾性部材２０は、通水性弾性部材２０であり、通水性弾性部材２０は、水は通過するが粒状活性炭１２は通過できない程度の小さな通水路が形成された形態であり、連続気泡のウレタン発泡材の成形体等で構成されることによって、粒状活性炭１２の抑え効果と水道水の通水性とを同時に達成できるものとすることができ、浄水器１の組み立てがし易いものとなる。
【００２０】
以下、これを更に具体的に説明する。外筒２と内筒（筒状ケース）４は合成樹脂製の円筒形をなす。筒状ケース４は、一端が開口４Ａし、他端の周面に連通部１０に開口した通水部９が形成されている。中空糸膜体３には種々の構成があるが、その一つの構成として多数の中空糸で束を作って中空糸膜５とし、これをＵ字状に屈曲させて円筒状ケース４に充填し、ポッティング材料（封止材料）２３としてウレタン樹脂を各中空糸の端部間の隙間に充填する。この充填によって各中空糸の端部相互の隙間が封止材料２３によって封止され、開口４Ａが封止材料２３によって塞がれる。その後、この封止部分の端を切断して中空糸膜５の中空面を露出させる。このようにして中空糸膜体３が形成される。
【００２１】
中空糸膜体３の筒状ケース４のキャップ１１側端部には、中空糸膜５のＵ字状屈曲部が配置され、この中空糸膜５のＵ字状屈曲部を取り囲む筒状ケース４の端部周面には、連通部１０に開口した通水部９が形成されている。このように内筒４内には、Ｕ字状に屈曲された多数の中空糸膜５の束がその内径に略いっぱいに収納された状態であり、このため内筒４は中空糸膜５の筒状ケースを構成し、内筒４と中空糸膜５が一体化されて中空糸膜体３を構成する。
【００２２】
連通部１０はキャップ１１で覆われた内側に形成され、通水性弾性部材２０とキャップ１１との間に存在する連通部１０の周囲には、環状に成形された通水性の繊維状活性炭２１が環状配置されている。通水部９は、繊維状活性炭２１によって覆われた状態となり、通水部９へ流入する水の浄化を行う。
【００２３】
粒状活性炭１２を用いているのは、浄化表面積が大きく取れるようにするものであり、８〜２００メッシュの大きさの粒状活性炭を用いていることによってそれが達成できるが、浄水器１で浄化する原水の水質によっては、それに適合する機能を有する種類の活性炭を採用することが好ましい。
【００２４】
外筒２はその閉塞２Ａ側に、間隔６に連通する原水流入口７と中空糸膜５に連通する浄水出口８と、更に位置決め用ボス１３を一体に形成すると共に、原水流入口７側の反対側の開口２Ｂ端部外周にはキャップ１１の内面に形成したネジ部１６と螺合するネジ部１７を形成している。外筒２の閉塞２Ａ側内面には、浄水出口８を中心として円形状取り付け部１４を形成している。
【００２５】
１８、１９は粒状活性炭１２が原水流入口７から漏れないように仕切る通水性の仕切りであり、仕切り１９は比較的剛性のある合成樹脂製などのスノコとし、仕切り１８は不織布又は繊維状活性炭で構成することによって目的を達成できる。
【００２６】
アンダーシンク型浄水器１の組み立てを説明する。原水流入口７の下流側を覆うように、円形状取り付け部１４の上側に仕切り１８の上に仕切り１９が重ね合わされるようにセットし、上記のように構成された中空糸膜体３を準備し、この筒状ケース４の開口４Ａ側を円形状取り付け部１４の内側に環状シール材１５を介して水密状態に嵌合組み立て、外筒２内に外筒２と同軸にセットする。この際、重ね合わされた通水性の仕切り１８、１９は筒状ケース４の環状フランジ４Ｂによって抑えられた状態に保たれる。
【００２７】
この状態で、外筒２内には仕切り１８、１９の下側に原水流入口７に連通した環状の原水流入室２２が形成される。また、外筒２と内筒（筒状ケース）４との間に、略均一な環状の間隔６が形成される。この状態で、外筒２の開口２Ｂを上にして環状の間隔６内に計量された粒状活性炭１２を開口２Ｂから漏斗などを介して注入する（流し込む）。そして注入された粒状活性炭１２の上面に環状の通水性弾性部材２０を載せ、この通水性弾性部材２０の上に環状の繊維状活性炭２１を載せる。この状態で、繊維状活性炭２１は外筒２の開口２Ｂ端よりも上方へ突出した状態となる。
【００２８】
そして、キャップ１１を外筒２の開口２Ｂ端に被せ、キャップ１１のネジ部１６と外筒２のネジ部１７の螺合によって、キャップ１１が外筒２に取り付けられる。この取り付けによって、繊維状活性炭２１の上面はキャップ１１によって押されるため、それによって通水性弾性部材２０が下方へ押され、粒状活性炭１２を上方から環状の間隔６内に押し圧する状態となる。２７はキャップ１１と外筒２との間の環状シール材である。
【００２９】
この組み立てにおいて、浄水器１ごとに環状の間隔６内に注入される粒状活性炭１２の量にバラツキがあっても、通水性弾性部材２０の厚さを予めこのバラツキを吸収できる厚さに作っておくことによって、浄水器１ごとに生じる粒状活性炭１２の注入量のバラツキは、通水性弾性部材２０の弾力による厚さの変化によって吸収できる。すなわち、環状の間隔６内に注入される粒状活性炭１２の量が若干多い場合は、キャップ１１の取り付けによって、通水性弾性部材２０が若干強く圧縮された状態に保持され、また、環状の間隔６内に注入される粒状活性炭１２の量が若干少ない場合は、キャップ１１の取り付けによって、通水性弾性部材２０が若干弱く圧縮された状態に保持される。
【００３０】
このように、通水性弾性部材２０の弾力性によって、環状の間隔６内の粒状活性炭１２が押し圧保持されるため、浄水器１を横に倒した状態（浄水器１の中心軸Ｐを水平状態に設置した状態）に設置しても、環状間隔６内の粒状活性炭１２の崩れや偏りのない状態に維持でき、環状の間隔６内での粒状活性炭１２面の均一な充填状態を維持できる。このため、原水流入口７から流入する水道水は、矢印のように環状の間隔６内を軸方向（浄水器１の中心軸Ｐに沿った方向であり、図１の左右方向）へ通過しつつ、水道水の均質浄化が得られる効果がある。そして、環状配置された繊維状活性炭２１は、更なる浄化フィルタの役目をすると共に、通水性弾性部材２０の押さえ部材しての役目をする効果がある。
【００３１】
原水流入口７から流入する水道水は、矢印のように環状の間隔６内を軸方向（浄水器１の中心軸に沿った方向であり、図１の左右方向）へ流入し、通水性弾性部材２０と繊維状活性炭２１を順次通過して浄化され、通水部９から筒状ケース４内へ流入して中空糸膜５によって浄化され、浄水出口８から浄水器１外に取り出される。
【００３２】
なお、キャップ１１の取り付けによって、繊維状活性炭２１を介して通水性弾性部材２０を押し圧保持するのではなく、繊維状活性炭２１を設けずにキャップ１１によって直接的に通水性弾性部材２０を押し圧保持する構成でもよい。
【実施例２】
【００３３】
次に、本発明のアンダーシンク型浄水器の実施例２を図２に基づいて説明する。図１と同一機能部又は同一名称部には同一符号を付している。この浄水器１は、弾性部材２０によって環状の間隔６内で粒状活性炭１２の崩れによる偏りを防止する点は、実施例１と同様である。
【００３４】
この実施例２のアンダーシンク型浄水器１は、一端側が閉塞２Ａされ他端側に開口２Ｂした外筒２と、外筒２内に環状の間隔６を存して配置した内筒４内に水浄化用中空糸膜５が収納され、水浄化用粒状活性炭１２が中間の筒状ケース５０Ａに収納された状態で中空糸膜５を取り囲むように内筒４との間に形成された環状の間隔６に収納され、外筒２の一端側には環状の間隔６に連通する原水流入口７とこの原水流入口７と同じ側に中空糸膜５に連通する浄水出口７が設けられ、外筒２の他端側には粒状活性炭１２の注入口開口２Ｂが形成され、この開口２Ｂはキャップ１１によって閉塞され、キャップ１１によって粒状活性炭１２を環状の間隔６の一端側から環状の間隔６の他端側に向けて押し圧保持する弾性部材２０が設けられ、原水流入口７から流入した水が粒状活性炭１２から中空糸膜５を通って浄水出口７から流出する流水通路が形成されている。
【００３５】
この流水通路の形成のために、外筒２と筒状ケース５０Ａとは、両者間に略均一な厚さの環状の通水間隔６０が形成されるように組み合わされ、内筒４と筒状ケース５０Ａはそれぞれ筒状面の略全周に均一に通水部４Ｄ、５０Ｂが形成され、両筒状ケース４と５０Ａは夫々筒状面の全周に渡って略均一に通水部４Ｄ、５０Ｂを形成している。このため、原水流入口７から流入した水は、通水間隔６０に入り通水部５０Ｂから粒状活性炭１２に侵入して浄化された後、通水部４Ｄから中空糸膜５へ侵入して浄化され、浄水出口８から流出する経路を流れる。
【００３６】
筒状ケース４（内筒４）は、図２における筒状ケース４の軸方向の左端は閉じた状態であり、右端は図１の形態と同様に、浄水出口８に連通した状態に開口４Ａしており、上記実施例１同様に内部に中空糸膜５がＵ字状に屈曲されて収納され、開口４Ａが封止材料２３によって塞がれた状態である。筒状ケース４（内筒４）の周囲壁には、通水孔４Ｄへ粒状活性炭１２が入り込まないように通水孔４Ｄを通水性の繊維状活性炭８０によって覆っている。
【００３７】
このアンダーシンク型浄水器１の組み立てを説明する。中空糸膜体３を収納した筒状ケース４（内筒４）の鍔部４Ｃに当接する状態に、環状シール材２８を介して筒状ケース５０Ａを水密状態に筒状ケース４（内筒４）の外側に同軸状態に嵌合組み立て、筒状ケース５０Ａをセットする。また、通水孔４Ｄを覆うように筒状ケース４（内筒４）の周囲壁に繊維状活性炭８０を取り付ける。これによって、筒状ケース４（内筒４）と筒状ケース５０Ａとの間に環状の間隔６Ａが形成される。
【００３８】
この組み立てたものを、図２において、外筒２の開口２Ｂから挿入して、筒状ケース４の鍔部４Ｃを円形状取り付け部１４の内側に環状シール材１５を介して水密状態に嵌合組み立てる。この状態で、筒状ケース５０Ａの一方端面（図２の右側面）が原水流入口７の上方を覆うようにセットされ、筒状ケース５０Ａと原水流入口７の間に原水流入口７に連通した環状の原水流入室２２が形成される。また、外筒２と筒状ケース５０Ａとの間に、略均一な環状の通水間隔６０が形成される。
【００３９】
そして、外筒２の開口２Ｂを上にして環状の間隔６Ａ内に計量された粒状活性炭１２を開口２Ｂから漏斗等を介して注入する（流し込む）。そして、注入された粒状活性炭１２の上面に環状の弾性部材２０を載せる。この状態で環状の弾性部材２０は開口２Ｂ端よりも若干上方へ突出した状態である。
【００４０】
そして、キャップ１１を外筒２の開口２Ｂ端に被せ、キャップ１１のネジ部１６と外筒２のネジ部１７の螺合によって、キャップ１１が外筒２に取り付けられる。この取り付けによって、弾性部材２０が下方へ押され、粒状活性炭１２を上方から環状の間隔６Ａ内に押し圧する状態となる。２７はキャップ１１と外筒２との間の環状シール材である。
【００４１】
この組み立てにおいて、浄水器１ごとに環状の間隔６Ａ内に注入される粒状活性炭１２の量にバラツキがあっても、弾性部材２０の厚さを予めこのバラツキを吸収できる厚さに作っておくことによって、浄水器１ごとに生じる粒状活性炭１２の注入量のバラツキは、通水性弾性部材２０の弾力による厚さの変化によって吸収できる。すなわち、環状の間隔６Ａ内に注入される粒状活性炭１２の量が若干多い場合は、キャップ１１の取り付けによって、弾性部材２０が若干強く圧縮された状態に保持され、また、環状の間隔６Ａ内に注入される粒状活性炭１２の量が若干少ない場合は、キャップ１１の取り付けによって、弾性部材２０が若干弱く圧縮された状態に保持される。
【００４２】
このように、弾性部材２０の弾力性によって環状の間隔６Ａ内の粒状活性炭１２が押し圧保持されるため、浄水器１を横に倒した状態（浄水器１の中心軸Ｐを水平状態に設置した状態）に設置しても、環状の間隔６Ａ内の粒状活性炭１２の崩れや偏りのない状態に維持でき、環状の間隔６Ａ内での粒状活性炭１２面の均一な充填状態を維持できる。このため、原水流入口７から流入する水道水は、矢印のように環状の間隔６０内を軸方向（浄水器１の中心軸Ｐに沿った方向であり、図１の左右方向）へ流入し、筒状ケース５０Ａの通水部５０Ｂから粒状活性炭１２層へ流入して浄化された後、繊維状活性炭８０によって浄化されつつ筒状ケース４の通水部４Ｄから筒状ケース４内へ流入して中空糸膜５によって浄化され、浄水出口８から浄水器１外に取り出される。
【００４３】
このように、筒状ケース５０Ａに収納された粒状活性炭層１２の筒状面から水道水が通過して中空糸膜体５に向かうため、広い面でのろ過効果が得られる。そして、粒状活性炭１２を原水流入口７と浄水出口８側へ押し圧することによって、粒状活性炭１２を崩れや偏りのない状態に維持でき、環状間隔６内での粒状活性炭１２面の均一な充填状態によって、前記の広い面での水道水の均質浄化が得られる効果がある。
【００４４】
なお、筒状ケース５０Ａの通水部５０Ｂの大きさは、粒状活性炭１２が漏れない程度の大きさであり、例えば、細長いスリットで形成される。また、筒状ケース５０Ａの通水部５０Ｂを大きな孔で形成した場合には、この孔を通水性の不織布又はメッシュ材で覆うことにより、通水部５０Ｂからの粒状活性炭１２の漏れを防止できる。
【実施例３】
【００４５】
次に、本発明のアンダーシンク型浄水器の実施例３を図３に基づいて説明する。図１と同一機能部又は同一名称部には同一符号を付している。この浄水器１も、弾性部材２０によって環状の間隔６内で粒状活性炭１２の崩れによる偏りを防止する点は、実施例１と同様である。この浄水器１は、一端側が閉塞２Ａされ他端側に開口２Ｂした外筒２と、外筒２内に環状の間隔６を存して偏心状態に配置した内筒４と、内筒４内には多数の水浄化用中空糸膜５が束ねられてＵ字状に屈曲された状態で収納され、中空糸膜５を取り囲むように環状の間隔６に水浄化用粒状活性炭１２が収納されている。外筒２の閉塞２Ａ側には環状の間隔６に連通する原水流入口７とこの原水流入口７と同じ側に中空糸膜５に連通する浄水出口８が設けられ、外筒２の他端側には粒状活性炭１２の注入口開口２Ｂが形成され、この開口２Ｂはキャップ１１によって閉塞される。粒状活性炭１２が環状の間隔６の一端側から環状の間隔６の他端側に向けて押し圧保持されるように環状の弾性部材２０が設けられており、この弾性部材２０は外筒２にキャップ１１を取り付けることによって押し圧力が付与される構成である。
【００４６】
筒状ケース４（内筒４）は、図３における筒状ケース４の軸方向の左端は閉じた状態であり、右端は図１の形態と同様に、浄水出口８に連通した状態に開口４Ａしており、上記実施例１同様に内部に中空糸膜５がＵ字状に屈曲されて収納され、開口４Ａが封止材料２３によって塞がれた状態である。
【００４７】
そして、一端が原水流入口７に連通して環状の間隔６へ軸方向（浄水器１の中心軸Ｐ方向であり、図３の左右方向）に沿って間隔６への通水路６０Ａが、外筒２の内側の一部に外筒２と略平行に配置した案内板９０によって形成され、筒状ケース４の筒状面のうち通水路６０Ａから遠い反対側の位置に複数の通水部４Ｄが軸方向に配列形成され、環状の間隔６に収納された粒状活性炭１２をキャップ１１側から他端側に向けて押し圧保持する環状の弾性部材２０を設けている。通水路６０Ａの水を粒状活性炭１２へ導くために、案内板９０に複数の通水部６０Ｂが形成されている。
【００４８】
案内板９０の一端には、原水流入口７側に環状の間隔６仕切り板９０Ａを備え、仕切り板９０Ａの通水路６０Ａに対応した部分には通水部９０Ｂが形成されている。なお、筒状ケース４（内筒４）の外面に全ての通水部４Ｄを取り囲むように形成した枠４Ｅ内に、通水孔４Ｄへ粒状活性炭１２が入り込まないように通水孔４Ｄを覆う通水性の繊維状活性炭８０Ａが取り付けられている。
【００４９】
このような構成において、原水流入口７から流入した水は、仕切り板９０Ａの通水部９０Ｂを通って通水路６０Ａに入り、通水部６０Ｂから粒状活性炭１２へ略均一に流入して浄化された後、通水部６０Ｂの反対側に位置する通水部４Ｄへ向けて回り込み、通水部４Ｄから中空糸膜５へ流入して浄化され、浄水出口８から流出する経路を流れる。
【００５０】
このアンダーシンク型浄水器１の組み立てを説明する。仕切り板９０Ａと一体の案内板９０を外筒２の開口２Ｂから挿入して、仕切り板９０Ａが円形状取り付け部１４の上に当接する状態に案内板９０を外筒２内に環状シール材１５を介して水密状態に嵌合組み立てる。そして、中空糸膜体３を収納し繊維状活性炭８０Ａを取り付けた筒状ケース４（内筒４）を外筒２の開口２Ｂから挿入して、円形状取り付け部１４の内側と仕切り板９０Ａの内側にそれぞれ環状シール材１５を介して水密状態に嵌合組み立てる。この状態で、仕切り板９０Ａが原水流入口７の上方を覆うようにセットされ、仕切り板９０Ａと原水流入口７の間に原水流入口７に連通した環状の原水流入室２２が形成される。また、外筒２と筒状ケース４（内筒４）との間に、環状の通水間隔６０が形成される。
【００５１】
そして、外筒２の開口２Ｂを上にして環状の間隔６内に計量された粒状活性炭１２を開口２Ｂから漏斗などを介して注入する（流し込む）。そして、注入された粒状活性炭１２の上面に環状の弾性部材２０を載せる。この状態で環状の弾性部材２０は開口２Ｂ端よりも上方へ突出した状態である。通水部６０Ｂから粒状活性炭１２が漏れないように通水部６０Ｂを通水性の不織布又はメッシュ材８０Ｂ等によって覆っている。
【００５２】
そして、キャップ１１を外筒２の開口２Ｂ端に被せ、キャップ１１のネジ部１６と外筒２のネジ部１７の螺合によって、キャップ１１が外筒２に取り付けられる。この取り付けによって、弾性部材２０が下方へ押され、粒状活性炭１２を上方から環状の間隔６内に押し圧する状態となる。２７はキャップ１１と外筒２との間の環状シール材である。
【００５３】
この組み立てにおいて、浄水器１ごとに環状の間隔６内に注入される粒状活性炭１２の量にバラツキがあっても、弾性部材２０の厚さを予めこのバラツキを吸収できる厚さに作っておくことによって、浄水器１ごとに生じる粒状活性炭１２の注入量のバラツキは、通水性弾性部材２０の弾力による厚さの変化によって吸収できる。すなわち、環状の間隔６内に注入される粒状活性炭１２の量が若干多い場合は、キャップ１１の取り付けによって、弾性部材２０が若干強く圧縮された状態に保持され、また、環状の間隔６内に注入される粒状活性炭１２の量が若干少ない場合は、キャップ１１の取り付けによって、弾性部材２０が若干弱く圧縮された状態に保持される。
【００５４】
このように、弾性部材２０の弾力性によって、環状の間隔６内の粒状活性炭１２が押し圧保持されるため、浄水器１を横に倒した状態（浄水器１の中心軸Ｐを水平状態に設置した状態）に設置しても、環状間隔６内の粒状活性炭１２の崩れや偏りのない状態に維持でき、環状の間隔６内での粒状活性炭１２面の均一な充填状態を維持できる。
【００５５】
また、原水流入口側から通水路へ流入した水は、この通水路から遠い反対側の位置から中空糸膜体へ流入するため、粒状活性炭を円周方向に通過して浄化されることとなり、浄化通路を長くとれる効果がある。
【００５６】
キャップ１１の内側に押し圧部材を配置し、キャップ１１の取り付けによって、この弾性部材２０によって弾性部材２０を押し圧保持する構成でもよい。
【実施例４】
【００５７】
次に、本発明のアンダーシンク型浄水器を備えた流し台の実施例を図４、図５に基づいて説明する。図１と同一機能部又は同一名称部には同一符号を付している。この浄水器１も、弾性部材２０によって環状の間隔６内で粒状活性炭１２の崩れによる偏りを防止する点は、上記実施例と同様である。この浄水器１は、上記実施例１及至３に記載した浄水器１のいずれも適用可能である。このようなアンダーシンク型浄水器１は、流し台１００のシンク１０１より上方へ突出した水栓１０２へ可撓性導管１０５を介して接続されて、シンク１０１の下方空間に配設された流し台１００の引き出し１０６に横置き状態に収納されている。また流し台１００は、浄水器１の後方で水栓１０２の下方に可撓性導管１０５の収納空間１０７を形成している。
【００５８】
流し台１００の前方へ引き出し自在な引き出し１０６は、浄水器１の専用引き出しでもよく、また台所用品の収納用引き出しの一部、例えば後部に浄水器１を収納する兼用タイプでもよい。引き出し１０６内への浄水器１の収納態勢は横置き状態であるが、浄水器１が引き出し１０６に占める容積等を考慮して、前後左右いずれの向きでもよいが浄水器１の軸線Ｐが横方向になる水平状態に収納されるのが好ましい。また、引き出し１０６内の浄水器１の収納態勢は、原水流入口７と浄水出口８が後方に向く状態が可撓性導管１０５との接続や可撓性導管１０５の伸縮動作の確保等から好ましいが、原水流入口７と浄水出口８が左右方向の横向き状態に収納する状態、更には若干斜め横向き状態に収納する形態でもよい。本発明はいずれの形態をも包含する。
【００５９】
可撓性導管１０５は、柔軟性のある合成樹脂製又はゴム製の可撓管で構成され、原水の導入用管１０５Ａと浄水の導出用管１０５Ｂとから構成され、両管１０５Ａ、１０５Ｂは平行配置されて一体化された構成である。原水の導入用管１０５Ａは、一端が接続具１０４Ａによって水栓１０２から分配される原水管１０３Ａに接続され、他端が接続具１０４Ｂによって浄水器１の原水流入口７に接続されている。また浄水の導出用管１０５Ｂは、一端が接続具１０４Ｃによって水栓１０２の浄水入口１０３Ｃへ接続され、他端が接続具１０４Ｄによって浄水器１の浄水出口８に接続されている。可撓性導管１０５のターンした伸縮自在に撓む導管部分１０５Ｅが収納空間１０７に収まった状態である。
【００６０】
水栓１０２には上水道水管１１０が接続されており、切り替えレバー１０２Ａの切り替えによって、回転自在なノズル１０２Ｂから上水道水を原水のまま取り出す場合と、浄水器１で浄化した浄水を取り出す場合とに選択できる構成である。
【００６１】
図４では浄水器１は、原水流入口７と浄水出口８が後方に向く水平状態で、引き出し１０６内の底壁に取り付けバンドとネジ等による取り付け具１０８によって着脱自在に取り付けられている。そして、浄水器１から後方へ延びる可撓性導管１０５は、引き出し１０６の後壁１０６Ａの上に留め具１１３によって留められ、引き出し１０６の後壁１０６Ａの上を乗り越えて引き出し１０６の後方空間１０７に垂れ下がる状態で延びており、この空間１０７内でターンして上方に延びて水栓１０２に接続された状態である。
【００６２】
このような構成において、引き出し１０６の引き出しに伴って、可撓性導管１０５はターンした中間部１０５Ａが徐々に伸張して１０５Ｂのように伸張し、引き出し１０６の引き出しを容易にする。引き出し１０６を完全に引き出した状態でも、なお可撓性導管１０５は１０５Ｂのように中間部に若干の弛みの余裕を残している。また、引き出し１０６の押し込みに伴って、可撓性導管１０５の中間部１０５Ａはその荷重によって図４の実線のようにターンした状態に復帰する。このように構成すれば、可撓性導管１０５の中間部１０５Ａを特別な支え具によって支える必要もない。なお、この復帰を助けるために、中間部１０５Ａに若干の錘を取り付けることもできる。
【００６３】
引き出し１０６の出し入れに伴って撓む導管部分１０５Ａは、引き出し１０６後方の空間に配設されることによって、引き出し１０６の後方の利用し難い空間１０７の有効利用ができる。しかも、引き出し１０６の下方空間に収納される鍋等の収納の邪魔にもならないため、この導管１０５の撓み部分１０５Ａが損傷を受けることからも防止できる。また、流し台１００内の収納スペースの有効利用からすれば、引き出し１０６の出し入れに伴って撓む導管部分１０５Ａは、水栓１０２直下の引き出し１０６後方の空間に配設されることによって、引き出し１０６後方の利用し難い空間の更なる有効利用が期待できる。
【００６４】
図５の形態は、引き出し１０６が上下２段に棚部１０６Ｂ、１０６Ｃを備えたものであり、最上段の棚部１０６Ｃに浄水器１を収納した構成を示している。この場合も上記の図４及び図５で説明した機能及び効果と同様である。
【実施例５】
【００６５】
次に、本発明のアンダーシンク型浄水器を備えた流し台の実施例を図６、図７に基づいて説明する。図４及び図５と同一機能部又は同一名称部には同一符号を付している。この浄水器１は、上記実施例１及至３に記載した浄水器１のいずれも適用可能である。このようなアンダーシンク型浄水器１は、流し台１００のシンク１０１より上方へ突出した水栓１０２への水道水の入口側管１０３に可撓性導管１０５を介して接続されてシンク１０１の下方空間に配設された流し台１００の引き出し１０６に横置き状態で収納されている。流し台１００は、浄水器１の後方で水栓１０２の下方に可撓性導管１０５の収納空間１０７を形成している。
【００６６】
流し台１００の前方へ引き出し自在な引き出し１０６は、浄水器１の専用引き出しでもよく、また台所用品の収納用引き出しの一部、例えば後部に浄水器１を収納する兼用タイプでもよい。引き出し１０６内への浄水器１の収納態勢は横置き状態であるが、浄水器１が引き出し１０６に占める容積等を考慮して、水平状態に収納されるのが好ましい。また、引き出し１０６内の浄水器１の収納態勢は、原水流入口７と浄水出口８が後方に向く状態が可撓性導管１０５との接続や可撓性導管１０５の伸縮動作の確保等から好ましいが、原水流入口７と浄水出口８が左右方向の横向き状態に収納する状態、更には斜め横向きに収納する状態でもよい。
【００６７】
可撓性導管１０５は、柔軟性のある合成樹脂製又はゴム製の可撓管で構成され、原水の導入用管１０５Ａと浄水の導出用管１０５Ｂとから構成され、両管１０５Ａ、１０５Ｂは平行配置されて一体化された構成である。原水の導入用管１０５Ａは、一端が接続具１０４Ａによって水栓１０２から分配される原水管１０３Ａに接続され、他端が接続具１０４Ｂによって浄水器１の原水流入口７に接続された導管１１２Ａに接続されている。また浄水の導出用管１０５Ｂは、一端が接続具１０４Ｃによって水栓１０２の浄水入口１０３Ｃへ接続され、他端が接続具１０４Ｄによって浄水器１の浄水出口８に接続された導管１１２Ｂに接続されている。
【００６８】
可撓性導管１０５の中間の伸縮自在に撓む導管部分１０５Ｅが収納空間１０７に収まった状態である。伸縮自在に撓む導管部分１０５Ｅは、コイル形状に常時縮まる方向に付勢されるようにバネ材が付与された構成であり、このバネ材は導管部分１０５Ｅに埋め込まれて成形された構成である場合と、導管部分１０５Ｅの外側に巻き付けられたコイル状バネ材によって、常時縮まる方向に付勢される構成とのいずれでもよい。
【００６９】
水栓１０２には上水道水管１１０が接続されており、切り替えレバー１０２Ａの切り替えによって、回転自在なノズル１０２Ｂから上水道水を原水のまま取り出す場合と、浄水器１で浄化した浄水を取り出す場合とに選択できる構成である。
【００７０】
図では浄水器１は、原水流入口７と浄水出口８が後方に向く水平状態で、引き出し１０６内の底壁に取り付けバンドとネジ等による取り付け具１０８によって着脱自在に取り付けられている。そして、可撓性導管１０５へ接続されるように浄水器１から後方へ延びる導管１１２Ａ、１１２Ｂは、引き出し１０６の後壁１０６Ａの上を乗り越えるように逆Ｕ字状に成形された硬質導管である。可撓性導管１０５の中間部の導管部分１０５Ｅは、その伸縮を許容する収納空間１０７に前後方向に円筒状にコイル状に巻かれた状態で配置されている。
【００７１】
このような構成において、引き出し１０６の引き出しに伴って、可撓性導管１０５はターンした中間部１０５Ａが徐々に伸張して１０５Ｂのように伸張し、引き出し１０６の引き出しを容易にする。図７のように引き出し１０６を完全に引き出した状態でも、なお可撓性導管１０５は中間部１０５Ａに若干の伸張の余裕を残している。また、引き出し１０６の押し込みに伴って、可撓性導管１０５の中間部１０５Ａは縮まって図６のように復帰する。このように構成すれば、可撓性導管１０５の中間部１０５Ａを特別な支え具によって支える必要もない。
【００７２】
引き出し１０６の出し入れに伴って伸縮自在に撓む導管部分１０５Ａは、引き出し１０６後方の空間に配設されることによって、引き出し１０６の後方の利用し難い空間１０７の有効利用ができる。しかも、引き出し１０６の下方空間に収納される鍋等の収納の邪魔にもならないため、この導管１０５の撓み部分１０５Ａが損傷を受けることからも防止できる。また、流し台１００内の収納スペースの有効利用からすれば、引き出し１０６の出し入れに伴って撓む導管部分１０５Ａは、水栓１０２直下の引き出し１０６後方の空間に配設されることによって、引き出し１０６後方の利用し難い空間の更なる有効利用が期待できる。
【産業上の利用可能性】
【００７３】
本発明に係る流し台並びに流し台用アンダーシンク型浄水器は、上記実施形態に限定されず、本発明の技術的範囲を逸脱しない限り種々の変更が考えられ、それに係る種々の実施形態を包含するものである。
【図面の簡単な説明】
【００７４】
【図１】本発明のアンダーシンク型浄水器の構成を示す断面図である。（実施例１）
【図２】本発明のアンダーシンク型浄水器の構成を示す断面図である。（実施例２）
【図３】本発明のアンダーシンク型浄水器の構成を示す断面図である。（実施例３）
【図４】本発明のアンダーシンク型浄水器を備えた流し台の構成説明図である。（実施例４）
【図５】本発明のアンダーシンク型浄水器を最上段の引き出しに備えた流し台の構成説明図である。（実施例４）
【図６】本発明のアンダーシンク型浄水器を備えた流し台の構成説明図である。（実施例５）
【図７】図６の引き出しを引き出した状態の流し台の構成説明図である。（実施例５）
【符号の説明】
【００７５】
１・・・・浄水器
２・・・・外筒
３・・・・中空糸膜体
４・・・・筒状ケース（内筒）
４Ａ・・・開口
４Ｄ・・・通水部
５・・・・水浄化用中空糸膜
６・・・・環状の間隔
７・・・・原水流入口
８・・・・浄水出口
９・・・・通水部
１０・・・連通部
１１・・・キャップ
１２・・・水浄化用粒状活性炭
１４・・・円形状取り付け部
１８、１９・・・通水性仕切り
２０・・・通水性弾性部材
２１・・・繊維状活性炭
２２・・・原水流入室
２３・・・封止材料
５０Ａ・・筒状ケース
５０Ｂ・・通水部
６０・・・通水間隔
６０Ａ、６０Ｂ・・通水路
８０・・・繊維状活性炭
９０・・・案内板
９０Ａ・・仕切り板
１００・・流し台
１０１・・シンク
１０２・・水栓
１０３・・入口側管
１０５・・可撓性導管
１０５Ａ・・伸縮自在に撓む導管部分
１０６・・引き出し
１０６Ａ・・引き出しの後壁
１０６Ｂ、１０６Ｃ・・引き出しの棚部
１０７・・収納空間
【図１】
2005232873.tif 000003
【図２】
2005232873.tif 000004
【図３】
2005232873.tif 000005
【図４】
2005232873.tif 000006
【図５】
2005232873.tif 000007
【図６】
2005232873.tif 000008
【図７】
2005232873.tif 000009